【手続補正書】
【提出日】平成29年8月22日(2017.8.22)
【手続補正２】
【補正対象書類名】明細書
【補正対象項目名】発明の名称
【補正方法】変更
【補正の内容】
【発明の名称】オブジェクトを搭載表面に搭載するための装置、方法およびシステム
【手続補正３】
【補正対象書類名】明細書
【補正対象項目名】０００６
【補正方法】変更
【補正の内容】
【０００６】
【図１】本発明の典型的な実施形態による、非係合構成における搭載装置および名目オブジェクトの分解立体図である。
【図２】本発明の典型的な実施形態による、面の相対運動を示す図である。
【図３】本発明の典型的な実施形態による、面の相対運動を示す図である。
【図４】本発明の典型的な実施形態による、面の相対運動を示す図である。
【図５】本発明の別の典型的な実施形態による、非係合構成における搭載装置および名目オブジェクトの分解立体図である。
【図６Ａ】本発明の別の典型的な実施形態による、搭載装置を示す図である。
【図６Ｂ】本発明の別の典型的な実施形態による、搭載装置を示す図である。
【図６Ｃ】本発明の別の典型的な実施形態による、搭載装置を示す図である。
【図７Ａ】本発明の別の典型的な実施形態による、搭載装置およびオブジェクト・インターフェースを含む搭載表面にオブジェクトを取り付けるためのシステムを示す図である。
【図７Ｂ】本発明の別の典型的な実施形態による、搭載装置およびオブジェクト・インターフェースを含む搭載表面にオブジェクトを取り付けるためのシステムを示す図である。
【図７Ｃ】本発明の別の典型的な実施形態による、搭載装置およびオブジェクト・インターフェースを含む搭載表面にオブジェクトを取り付けるためのシステムを示す図である。
【図８Ａ】本発明の別の典型的な実施形態による、搭載装置を示す図である。
【図８Ｂ】本発明の別の典型的な実施形態による、搭載装置を示す図である。
【図８Ｃ】本発明の別の典型的な実施形態による、搭載装置を示す図である。
【図８Ｄ】本発明の別の典型的な実施形態による、搭載装置を示す図である。
【図９Ａ】本発明の別の典型的な実施形態による、搭載装置を示す図である。
【図９Ｂ】本発明の別の典型的な実施形態による、搭載装置を示す図である。
【図９Ｃ】本発明の別の典型的な実施形態による、搭載装置を示す図である。
【図１０】本発明の別の典型的な実施形態による、搭載装置を示す図である。
【図１１Ａ】本発明の別の典型的な実施形態による、搭載装置およびオブジェクト・インターフェースを示す図である。
【図１１Ｂ】本発明の別の典型的な実施形態による、搭載装置およびオブジェクト・インターフェースを示す図である。
【図１２】本発明の別の典型的な実施形態による、搭載装置を示す図である。
【図１３】本発明の別の典型的な実施形態による、搭載装置およびオブジェクト・インターフェースを含む搭載表面にオブジェクトを取り付けるためのシステムを示す図である。
【図１４】本発明の別の典型的な実施形態による、搭載装置を示す図である。
【図１５】本発明の別の典型的な実施形態による、搭載装置を示す図である。
【図１６Ａ】本発明の別の典型的な実施形態による、搭載装置を示す図である。
【図１６Ｂ】本発明の別の典型的な実施形態による、搭載装置を示す図である。
【図１７Ａ】本発明の別の典型的な実施形態による、搭載装置を示す図である。
【図１７Ｂ】本発明の別の典型的な実施形態による、搭載装置を示す図である。
【図１８】本発明の別の典型的な実施形態による、搭載装置を示す図である。
【図１９】本発明の別の典型的な実施形態による、搭載装置およびオブジェクト・インターフェースを含む搭載表面にオブジェクトを取り付けるためのシステムを示す図である。
【手続補正４】
【補正対象書類名】明細書
【補正対象項目名】００２２
【補正方法】変更
【補正の内容】
【００２２】
したがって、図面を参照し、また、以下の説明の観点から明らかになるように、本明細書に開示された方法は、複数通りで具現され得る。自己充足的な（例えば、スタンドアローンの）装置が、携帯用あるいは固定された物体（例えば、搭載表面）に付けられるために組み立てられ、構成されることがあり、以下に述べるいくつかの実施形態がそのような例である。さらに、物体が変更されて本発明の所望の機能性を達成する（例えば、本発明の実施形態を含む）ように、その方法は既存の物体（例えば、壁、テレビ、アートワーク用のフレーム）、あるいは既存の物体の一部に適用されることがあり、また、そのような実施形態が物体内に部分的あるいは完全に埋め込まれるように、既存の部品あるいは物体の特徴が本発明の実施形態の部品あるいは特徴として使用される。別の方法で述べられるように、本発明の実施形態に必要かもしれない、物体に欠けている部品が物体に加えられることがあり、実施形態の所定の部品の必要な役割を行うのに既に適した物体の部品あるいは特徴が、そのままで使用されるか、あるいは必要に応じて変更されることがあり、そこでは、既存の部品および付加的部品の両方で構成され、物体内に少なくとも部分的に存在する装置を達成するように、全ての部品は共に構成される。後者の実施は、既存の物体の変更が自己充足的な装置の埋め込みに比べて、しばしば高価でなく、および／または侵襲的でないので、特に有益であり、また、統合された実施形態は、物体に付けられた自己充足的な装置より審美的に魅力的であり得る。一例は変更されている壁のものであり、そこでは、オブジェクトが壁に搭載できるように、方法が壁の一部に適用され、また、自己充足的な装置を壁に付けることに比べて、壁の視覚的審美性への影響が最小限となるように、本発明の実施形態を作るために構成された部品の大半が壁の中に隠される。さらに、上記で挙げられた実施に加えてシステムが提供され、そこでは、装置およびオブジェクト・インターフェース（あるいは、２つの装置）が、搭載過程の間、互いに一致するように構成される物体のために（上述したように、構造か変更のどちらかによって）作られ得る。
【手続補正５】
【補正対象書類名】明細書
【補正対象項目名】０１２５
【補正方法】変更
【補正の内容】
【０１２５】
上述した本発明の（複数の）制御部品によって提供され得る機能に加えて、図１の実施形態と同様のいくつかの実施形態において、係合部材１４が収縮状態と拡張状態との間で移動するので、係合部材１４と中間表面１２のガイド表面９６との間の摩擦力が限定（例えば、減少）され得るか、あるいは排除され得るように追加の制御部品６０（グループ１）は、中間表面１２の第１の搭載磁石３０と協力するように構成され得る（あるいは、中間表面１２のガイド表面９６に支持された追加の制御部品６０（グループ２）に協力するように構成され得る）係合部材１４の拡張部９８の内側周辺に支持され得る。上記で参照された協力は、互いに反発し、係合部材１４の拡張部９８と中間表面１２のガイド表面９６との間で反発力を生み出すために効率的に働く、実質的に逆の磁力を有するように構成されるグループ１および搭載磁石３０（あるいは、グループ１およびグループ２）とによって、結果として生じ得る。
【手続補正６】
【補正対象書類名】明細書
【補正対象項目名】０１５６
【補正方法】変更
【補正の内容】
【０１５６】
段階式非係合過程は、搭載装置２１０の構成によって、同様に様々な方法で起こり得る。図７Ａにおいて、総係合力より小さい、搭載済みオブジェクトに適用される非係合力は、非係合の第１段階で、セカンダリ・オブジェクト表面２２４を中間表面２１２から切り離し得る。非係合の第１段階の前に、および、その間、係合部材２１４はベース表面２８０から離れて移動することがあり、また、オブジェクト・インターフェースのセントラル・オブジェクト表面２２６と係合したままであり得る。したがって、非係合の第１段階を完了すると、継続する非係合力は、係合部材２１４が外側限界位置ＯＬに達するまで係合部材２１４を移動させ続けることがある。外側限界位置で、セントラル・オブジェクト表面２２６および係合部材２１４は、非係合の第２段階で切り離され得る。このように、搭載装置２１０に搭載されるオブジェクトに非係合力を適用し得るユーザは、非係合の第１段階に打ち勝つために、十分な強さの非係合力を適用しさえすればよい。非係合の各後段は、非係合の第１段階より大きい、あるいは小さい、打ち勝つための力を必要とすることがあるが、ユーザにとってより容易でより楽しくあり得る経験に対して、オブジェクトが、開放の複数の段階の中で分割される総係合力で、よりゆっくりと切り離されることができるように、開放の各連続した段階は総係合力より小さいことがある。
【手続補正７】
【補正対象書類名】明細書
【補正対象項目名】０１６７
【補正方法】変更
【補正の内容】
【０１６７】
前述したように、システム２００などのシステムにおいて対応する搭載磁石が、制御部品のものと同様に作用し得ることに留意することは重要である。搭載磁石と制御部品の全てが電磁石、関連磁石、プログラム可能な関連磁石などであるように、システムは構成され得る。これらの部品は互いに相互作用するように、また、他の制御部品と相互作用して、搭載装置に搭載されたオブジェクトを移動、再配向、あるいは再配置するように構成され得る。例えば、再び図７Ａのシステム２００を参照して、磁石２３０、２３１、２４０、および２４１は、以前に説明された方法を通じて調整可能であり得る電磁石であるように構成され得る。このように、ユーザによってインタラクティブに、あるいはプログラムされた方法で信号を装置に送り、ユーザの利益のために磁力を操るように構成されることによって、オブジェクト自体は、オブジェクト・インターフェースを通じて、移動あるいは位置に関する自身の状態に影響を及ぼすことができ得る。このように、システムの装置２１０は装置制御力を生成することがあり、オブジェクト・インターフェースは構成された磁石を通じてインターフェース制御力を生成することがある。したがって、オブジェクト・インターフェースは、インターフェース制御力を装置に適用することによって、自身を排除でき得る。さらに、オブジェクト・インターフェースは、オブジェクトを部分的に切り離すためにインターフェース制御力を適用することがあり、その結果、オブジェクトを調整できる。調整の深さは中間表面からの深さの場合があり、また、調整が可能なときにオブジェクトが装置から部分的に切り離されるのみであるように、調整の深さは装置係合の深さより小さい場合がある。そのような機能性を容易にするために、セントラル・オブジェクト表面か複数のセカンダリ・オブジェクト表面のどちらかは、少なくとも１つの電磁石、少なくとも１つの関連磁石、あるいは少なくとも１つのプログラム可能磁石で構成され得る。さらに、係合部材、および／または、中間表面は、少なくとも１つの電磁石、少なくとも１つの関連磁石、または少なくとも１つのプログラム可能磁石で構成され得る。
【手続補正８】
【補正対象書類名】明細書
【補正対象項目名】０１８０
【補正方法】変更
【補正の内容】
【０１８０】
係合部材３１４は、外側限界位置ＯＬとベース側限界位置ＢＬとの間で移動するように構成され得る。さらに、係合部材３１４は拡張部３９８と、拡張部３９８に接合された表面３８８とを含み得ることがあり、また、第２の面において第２の搭載磁石３４０を支えることがある。図１１Ａに示された実施形態において、係合部材３１４の表面３８８は、第２の搭載磁石３４０の曲面であり得る。拡張部３９８は、中間表面の開口部３９４より大きい直径を有する拡張部３９８の外側の突起による停止機構３５０を提供し得る。停止機構３５０が中間表面３１２の内側表面３８６に接触することによって、係合ラインＬｅに沿った、中間表面３１２から離れる方向に係合部材３１４を限定し、したがって、係合部材３１４の外側限界位置ＯＬを画定し得るように、拡張部３９８の一部は中間表面３１２のガイド表面３９６によって摺動可能に受け取られ得る。係合部材３１４が外側限界位置にあるとき、第１の面と第２の面との間の距離は、装置係合の深さｄａを画定し得る。
【手続補正９】
【補正対象書類名】明細書
【補正対象項目名】０２０５
【補正方法】変更
【補正の内容】
【０２０５】
係合部材４１４か中間表面４１２の少なくとも１つは、外側限界位置ＯＬとベース側限界位置ＢＬとの間で移動可能であり得る。係合部材４１４か中間表面４１２の移動可能な少なくとも１つがそれぞれの外側限界位置にあるとき、装置係合の深さｄａは、第１の面と第２の面との間の距離によって画定され得る。
【手続補正１０】
【補正対象書類名】明細書
【補正対象項目名】０２１１
【補正方法】変更
【補正の内容】
【０２１１】
ユーザは、セカンダリ・オブジェクト表面の前面４２７を中間表面４１２の正面４８５に対して滑らせ、磁石４３０および４３１を切り離し得るオブジェクトを持ち上げることによって、非係合力を適用し得る。磁石４３０および４３１が係合ラインＬｅに沿う方向において引っ張られる場合、持ち上げ力は、磁石４３０と磁石４３１との間の総係合力より小さくあり得る。磁石４３０および４３１を切り離すと、制御部品６０に適用される反発力を減少させ得る。オブジェクトの持ち上げの際に磁石４４１を近づけると、係合部材４１４を拡張させ、ハンガ４７７を開放させ得る。このように、オブジェクトは搭載表面から切り離され得る。
【手続補正１１】
【補正対象書類名】明細書
【補正対象項目名】０２１２
【補正方法】変更
【補正の内容】
【０２１２】
例えば、いくつかの実施形態において、第２の搭載磁石は移動可能であり、複数の第２の搭載磁石は複数のそれぞれの第２の面において支持され得る。この点で、図１４に移り、いくつかの実施形態において、係合部材１４は、実施形態に示された４つの係合部材１４ａ、１４ｂ、１４ｃ、１４ｄのような、複数の係合部材を含み得る。係合部材１４ａ、１４ｂ、１４ｃ、１４ｄの少なくとも１つは磁気に反応するように構成されることがあり（例えば、１個以上は、それぞれの第２の搭載磁石４０ａ、４０ｂ、４０ｃ、４０ｄを支え得る）、各係合部材は、他の係合部材に対するそれぞれの係合ラインに沿って独立して移動するように構成され得る。このように、各係合部材１４ａ、１４ｂ、１４ｃ、１４ｄは、他の係合部材と独立して、それぞれのベース側限界位置ＢＬとそれぞれの外側限界位置ＯＬとの間で移動するように構成され得る。
【手続補正１２】
【補正対象書類名】明細書
【補正対象項目名】０２１３
【補正方法】変更
【補正の内容】
【０２１３】
さらに、各第２の搭載磁石のそれぞれのベース側限界位置ＢＬが実質的に同じ面にあるように、第２の搭載磁石は構成され得る。図１４の実施形態に対して、例えば、ベース表面の８０は、特定の係合部材１４ａ、１４ｂ、１４ｃ、１４ｄに対応する停止機構５５ａ、５５ｂ、５５ｃ、５５ｄを含んで提供され得る。各停止機構５５ａ、５５ｂ、５５ｃ、５５ｄは、対応する係合部材１４ａ、１４ｂ、１４ｃ、１４ｄの深さに対応する高さ（例えば、ベース表面８０から離れた拡張の長さ）を有し得る。例えば、図１４の実施形態における最も深い係合部材１４ｄは、最も小さい高さの停止機構５５ｄに相当するように構成され得るが、最も浅い係合部材１４ａは、最も大きい高さの停止機構５５ａに相当するように構成され得る。全ての係合部材に渡って同じ寸法となる停止機構の高さと、対応する係合部材の深さとを構成することによって、各第２の搭載磁石のそれぞれのベース側限界位置ＢＬは実質的に同じ面にあり得る（例えば、複数の係合部材の組み立てられた外側表面は実質的に平らであり得る）。
【手続補正１３】
【補正対象書類名】明細書
【補正対象項目名】０２３０
【補正方法】変更
【補正の内容】
【０２３０】
図１８に示された実施形態において、例えば、オブジェクト・インターフェース２０は第１のオブジェクト磁石３１および第２のオブジェクト磁石４１を含み得る（あるいは、説明された例のように、第２のオブジェクト磁石は複数の磁石で構成され得る）。第１のオブジェクト磁石３１および第２のオブジェクト磁石４１は、搭載装置１０の第１の搭載磁石３０と第２の搭載磁石４０のうちの相当する方を引き寄せる、あるいは引き寄せられるように構成され得る（例えば、位置づけされたり、大きさを決められたりする）。示された実施形態において、第１のオブジェクト磁石３１は、第１の搭載磁石３０に反応し、相互作用するように構成され、第２のオブジェクト磁石４１は、第２の搭載磁石４０を含む磁石に反応し、相互作用するように構成される。図１８において、第１のオブジェクト磁石３１および第２オブジェクト磁石４１は実質的に同じ面に置かれる（例えば、セントラル・オブジェクト表面２２上に配置される）が、いくつかの実施形態において、オブジェクト・インターフェース２０は、磁気に反応するように構成されるセントラル・オブジェクト表面と、セントラル・オブジェクト表面から離され、磁気に反応するように構成されるセカンダリ・オブジェクト表面を含み得る。そのような実施形態において、前述したように、セントラル・オブジェクト表面は第３の面を画定することがあり、セカンダリ・オブジェクト表面は第４の面を画定することがある。
【手続補正１４】
【補正対象書類名】特許請求の範囲
【補正対象項目名】全文
【補正方法】変更
【補正の内容】
【特許請求の範囲】
【請求項１】
オブジェクトを搭載表面に搭載する方法であって、
第１の面において第１の搭載磁石を支持し、
第２の面において第２の搭載磁石を支持し、
第１および第２の搭載磁石を段階的構成に配置し、
第１および第２の面と交差する係合ラインに沿って第１および第２の搭載磁石の少なくとも一方が他方から独立して移動することを可能にし、
第１および第２の搭載磁石の前記移動可能な少なくとも一方の移動を、外側限界位置とベース側限界位置との間に限定し、
第１および第２の搭載磁石と関連付けられるそれぞれの係合力によりオブジェクトと係合して、オブジェクトを搭載表面に搭載するための総係合力を協力して生成するように、第１および第２の搭載磁石を構成し、
搭載されたオブジェクトに適用され総係合力より小さい切り離し力が、第１および第２の搭載磁石と関連付けられるそれぞれの係合力に順々に打ち勝つことにより総係合力に段階的に打ち勝ってオブジェクトを切り離すように、第１および第２の搭載磁石の前記移動可能な少なくとも一方の外側限界位置を構成し、
オブジェクトが搭載されたときにオブジェクトにデータ及び電力接続の少なくとも一方を提供するように、第１および第２の搭載磁石の少なくとも一方と関連付けられる支持構造を構成する、
ことを含む、方法。
【請求項２】
第１および第２の搭載磁石の少なくとも一方と関連付けられる支持構造を、オブジェクトの一部を受けるように構成することを更に含み、
オブジェクトの一部を受けることが、オブジェクトを構造的に支持することを含む、
請求項１に記載の方法。
【請求項３】
複数の第２の面において複数の第２の搭載磁石をそれぞれ支持することを更に含み、
複数の第２の搭載磁石のそれぞれが移動可能に構成される、
請求項１に記載の方法。
【請求項４】
複数の第２の搭載磁石をテレスコープ構造で配置することを更に含む、請求項３に記載の方法。
【請求項５】
第３の面において第３の搭載磁石を支持することを更に含み、
第３の搭載磁石が、第１および第２の搭載磁石の少なくとも一方と一致するようにオブジェクトを適合させるために、搭載されるオブジェクトに取り付けられるように構成される、
請求項１に記載の方法。
【請求項６】
第３の搭載磁石と関連付けられる支持構造が、データ及び電力接続の前記少なくとも一方と一致するようにオブジェクトを適合させるように構成される、請求項５に記載の方法。
【請求項７】
第１および第２の搭載磁石を入れ子構造に配置することを更に含む、請求項１に記載の方法。
【請求項８】
第１および第２の搭載磁石のそれぞれが磁場を生成するように構成されるように、第１および第２の搭載磁石を選択することを更に含む、請求項１に記載の方法。
【請求項９】
第１および第２の搭載磁石の少なくとも一方をテレスコープ構造で支持することを更に含む、請求項１に記載の方法。
【請求項１０】
第１および第２の搭載磁石の少なくとも一方が複数の磁石を含む、請求項１に記載の方法。
【請求項１１】
第１および第２の搭載磁石の前記移動可能な少なくとも一方が、第１および第２の面が実質的に一致する位置に移動できるように、第１および第２の搭載磁石の前記移動可能な少なくとも一方の外側限界位置及びベース側限界位置を構成することを更に含む、請求項１に記載の方法。
【請求項１２】
複数の第３の面において複数の第３の搭載磁石をそれぞれ支持することを更に含み、
複数の第３の搭載磁石が、第１および第２の搭載磁石の少なくとも一方と一致するようにオブジェクトを適合させるために、搭載されるオブジェクトに取り付けられるように構成される、
請求項１に記載の方法。
【請求項１３】
複数の第３の搭載磁石と関連付けられる支持構造が、データ及び電力接続の前記少なくとも一方と一致するようにオブジェクトを適合させるように構成される、請求項１２に記載の方法。
【請求項１４】
少なくとも一つの第３の搭載磁石が磁場を生成するように構成されるように、複数の第３の搭載磁石を選択することを更に含む、請求項１２に記載の方法。
【請求項１５】
第３の搭載磁石が磁場を生成するように構成されるように、第３の搭載磁石を選択することを更に含む、請求項５に記載の方法。
【請求項１６】
総係合力が調整可能であるように、第１および第２の搭載磁石を少なくとも一つの電磁石を含むように構成することを更に含む、請求項１に記載の方法。
【請求項１７】
オブジェクトが搭載表面に搭載されているときにオブジェクトの回転運動を可能にするように、第１および第２の搭載磁石を構成することを更に含む、請求項１に記載の方法。
【請求項１８】
オブジェクトに有効なロッキング機構を提供するように、第１および第２の搭載磁石を構成することを更に含む、請求項１に記載の方法。
【請求項１９】
第１および第２の搭載磁石の前記移動可能な少なくとも一方が外側限界位置にあるときに、搭載表面が実質的に雄の構成を有する、請求項１に記載の方法。
【請求項２０】
第１および第２の搭載磁石の前記移動可能な少なくとも一方の少なくとも移動又は機能性を制御するために、制御力を第１および第２の搭載磁石の前記移動可能な少なくとも一方に適用することを更に含む、請求項１に記載の方法。
【請求項２１】
第１および第２の搭載磁石と関連付けられる支持構造を、オブジェクトが第１および第２の搭載磁石と係合していないときに、互いに実質的に同一平面にあるように構成することを更に含む、請求項１に記載の方法。
【請求項２２】
第１および第２の搭載磁石の前記移動可能な少なくとも一方がベース側限界位置にあるときに、搭載表面が実質的に雌の構成を有する、請求項１に記載の方法。
【請求項２３】
オブジェクトを搭載表面に搭載する方法であって、
第１の面において第１の搭載磁石を支持し、
第２の面において第２の搭載磁石を支持し、
第１および第２の搭載磁石を段階的構成に配置し、
第１および第２の面と交差する係合ラインに沿って第１および第２の搭載磁石の少なくとも一方が他方から独立して移動することを可能にし、
第１および第２の搭載磁石の前記移動可能な少なくとも一方の移動を、外側限界位置とベース側限界位置との間に限定し、
第１および第２の搭載磁石と関連付けられるそれぞれの係合力によりオブジェクトと係合して、オブジェクトを搭載表面に搭載するための総係合力を協力して生成するように、第１および第２の搭載磁石を構成し、
搭載されたオブジェクトに適用され総係合力より小さい切り離し力が、第１および第２の搭載磁石と関連付けられるそれぞれの係合力に順々に打ち勝つことにより総係合力に段階的に打ち勝ってオブジェクトを切り離すように、第１および第２の搭載磁石の前記移動可能な少なくとも一方の外側限界位置を構成し、
少なくとも一つの接続インターフェースを支持するように、第１および第２の搭載磁石の前記移動可能な少なくとも一方と関連付けられる支持構造を構成する、
ことを含み、
前記少なくとも一つの接続インターフェースが、電気コネクタ及び無線充電デバイスの少なくとも一方を含む、
方法。
【請求項２４】
第１および第２の搭載磁石の少なくとも一方と関連付けられる支持構造を、オブジェクトの一部を受けるように構成することを更に含み、
オブジェクトの一部を受けることが、オブジェクトを構造的に支持することを含む、
請求項２３に記載の方法。
【請求項２５】
複数の第２の面において複数の第２の搭載磁石をそれぞれ支持することを更に含み、
複数の第２の搭載磁石のそれぞれが移動可能に構成される、
請求項２３に記載の方法。
【請求項２６】
複数の第２の搭載磁石をテレスコープ構造で配置することを更に含む、請求項２５に記載の方法。
【請求項２７】
第３の面において第３の搭載磁石を支持することを更に含み、
第３の搭載磁石が、第１および第２の搭載磁石の少なくとも一方と一致するようにオブジェクトを適合させるために、搭載されるオブジェクトに取り付けられるように構成される、
請求項２３に記載の方法。
【請求項２８】
第３の搭載磁石と関連付けられる支持構造が、前記少なくとも一つの接続インターフェースと一致するようにオブジェクトを適合させるように構成される、請求項２７に記載の方法。
【請求項２９】
第１および第２の搭載磁石を入れ子構造に配置することを更に含む、請求項２３に記載の方法。
【請求項３０】
第１および第２の搭載磁石のそれぞれが磁場を生成するように構成されるように、第１および第２の搭載磁石を選択することを更に含む、請求項２３に記載の方法。
【請求項３１】
第１および第２の搭載磁石の少なくとも一方をテレスコープ構造で支持することを更に含む、請求項２３に記載の方法。
【請求項３２】
第１および第２の搭載磁石の少なくとも一方が複数の磁石を含む、請求項２３に記載の方法。
【請求項３３】
第１および第２の搭載磁石の前記移動可能な少なくとも一方が、第１および第２の面が実質的に一致する位置に移動できるように、第１および第２の搭載磁石の前記移動可能な少なくとも一方の外側限界位置及びベース側限界位置を構成することを更に含む、請求項２３に記載の方法。
【請求項３４】
複数の第３の面において複数の第３の搭載磁石をそれぞれ支持することを更に含み、
複数の第３の搭載磁石が、第１および第２の搭載磁石の少なくとも一方と一致するようにオブジェクトを適合させるために、搭載されるオブジェクトに取り付けられるように構成される、
請求項２３に記載の方法。
【請求項３５】
複数の第３の搭載磁石と関連付けられる支持構造が、前記少なくとも一つの接続インターフェースと一致するようにオブジェクトを適合させるように構成される、請求項３４に記載の方法。
【請求項３６】
少なくとも一つの第３の搭載磁石が磁場を生成するように構成されるように、複数の第３の搭載磁石を選択することを更に含む、請求項３４に記載の方法。
【請求項３７】
第３の搭載磁石が磁場を生成するように構成されるように、第３の搭載磁石を選択することを更に含む、請求項２７に記載の方法。
【請求項３８】
オブジェクトが搭載されたときにオブジェクトにデータ及び電力接続の少なくとも一方を提供するように、第１および第２の搭載磁石の少なくとも一方と関連付けられる支持構造を構成することを更に含む、請求項２３に記載の方法。
【請求項３９】
総係合力が調整可能であるように、第１および第２の搭載磁石を少なくとも一つの電磁石を含むように構成することを更に含む、請求項２３に記載の方法。
【請求項４０】
オブジェクトが搭載表面に搭載されているときにオブジェクトの回転運動を可能にするように、第１および第２の搭載磁石を構成することを更に含む、請求項２３に記載の方法。
【請求項４１】
オブジェクトに有効なロッキング機構を提供するように、第１および第２の搭載磁石を構成することを更に含む、請求項２３に記載の方法。
【請求項４２】
第１および第２の搭載磁石の前記移動可能な少なくとも一方が外側限界位置にあるときに、搭載表面が実質的に雄の構成を有する、請求項２３に記載の方法。
【請求項４３】
第１および第２の搭載磁石の前記移動可能な少なくとも一方の少なくとも移動又は機能性を制御するために、制御力を第１および第２の搭載磁石の前記移動可能な少なくとも一方に適用することを更に含む、請求項２３に記載の方法。
【請求項４４】
第１および第２の搭載磁石と関連付けられる支持構造を、オブジェクトが第１および第２の搭載磁石と係合していないときに、互いに実質的に同一平面にあるように構成することを更に含む、請求項２３に記載の方法。
【請求項４５】
第１および第２の搭載磁石の前記移動可能な少なくとも一方がベース側限界位置にあるときに、搭載表面が実質的に雌の構成を有する、請求項２３に記載の方法。
【手続補正１５】
【補正対象書類名】図面
【補正対象項目名】図８Ａ
【補正方法】変更
【補正の内容】
【図８Ａ】
2016521333.tif 000001
【手続補正１６】
【補正対象書類名】図面
【補正対象項目名】図１４
【補正方法】変更
【補正の内容】
【図１４】
2016521333.tif 000002
【手続補正１７】
【補正対象書類名】図面
【補正対象項目名】図１８
【補正方法】変更
【補正の内容】
【図１８】
2016521333.tif 000003